(57)【要約】【課題】  突出寸法を小さくすることが可能な固定構造を提供するものである。【解決手段】  係合部である爪部１７を備えた弾性片１５を有する第１の部材である見返し板１２と、爪部１７が係止する係止部１４を有する第２の部材であるケース１１とを備え、爪部１７を係止部１４に係止して見返し板１２とケース１１とを固定する固定構造において、開放部１３ｃを備えるとともに弾性片１５の周囲を囲む囲い部１３をケース１１に設け、弾性片１５の開放部１３ｃ側への変形を防止する変形防止部１３ａを囲い部１３に形成したものである。【選択図】  図１
2006125528.tif 000002
【特許請求の範囲】
【請求項１】
係合部を備えた弾性片を有する第１の部材と、前記係合部が係止する係止部を有する第２の部材とを備え、前記係合部を前記係止部に係止して前記第１の部材と前記第２の部材とを固定する固定構造において、開放部を備えるとともに前記弾性片の周囲を囲む囲い部を前記第２の部材に設け、前記弾性片の前記開放部側への変形を防止する変形防止部を前記囲い部に形成したことを特徴とする固定構造。
【請求項２】
前記囲い部の断面形状が３つの辺を備え、前記開放部の長さが前記開放部と対向する第１の辺の長さより短く、かつ、前記弾性片の幅より短くし、前記開放部の両端と前記第１の辺の両端とを結ぶ２つの第２の辺からなる変形防止部を設け、前記弾性片が少なくとも前記２つの第２の辺の１つに当接することで、前記弾性片が前記開放部側への変形を防止することを特徴とする請求項１に記載の固定構造。
【請求項３】
前記２つの第２の辺の長さが互いに等しいことを特徴とする請求項２に記載の固定構造。
【請求項４】
前記係合部を前記変形防止部が変形を防止する方向に対して垂直方向で、かつ、前記係合部と前記係止部との係止がはずれない方向に突出させて設けたことを特徴とする請求項１に記載の固定構造。
【発明の詳細な説明】
【技術分野】
【０００１】
本発明は、固定構造に関し、特に、弾性片を備えた固定構造に関する。
【背景技術】
【０００２】
従来の固定構造は、図７で示すように、計器装置などに用いられるケース１に見返し板２を固定するものであり、ケース１に長方形状の係合孔３を有する突出部４を設け、見返し板２に係合孔３に対応し弾性を有する係合爪５を設けており、この係合爪５の先端にはテーパ面６を有し、このテーパ面６の最終端には爪部７を形成している。そして、係合爪５の弾性を利用して係合爪５を係合孔３に係止して、見返し板２をケース１に固定したものであった（例えば、特許文献１参照）。
【特許文献１】実公平５−２８１９号公報（第１図）
【発明の開示】
【発明が解決しようとする課題】
【０００３】
従来の固定構造では、ケース１の側面１ａの外側に係合孔３を形成するために突出部４を備えている。この突出部４の特に図７中の斜線部で示す部分は、爪部７を係止するものである。しかし、この突出部４を備えているために、外部への突出寸法が大きく、他の部品などをケース１に近づけて配置すると、突出部４や係止爪５のテーパ部６や爪部７に当たってしまうという不具合の発生が予見できるために、ケース１や見返し板２と前記他の部品とを近接させて配置することができなかった。
【０００４】
そこで、本発明は、この点に鑑みてなされたもので、その主な目的は、突出寸法を小さくすることが可能な固定構造を提供するものである。
【課題を解決するための手段】
【０００５】
本発明は前記目的を達成するため、係合部を備えた弾性片を有する第１の部材と、前記係合部が係止する係止部を有する第２の部材とを備え、前記係合部を前記係止部に係止して前記第１の部材と前記第２の部材とを固定する固定構造において、開放部を備えるとともに前記弾性片の周囲を囲む囲い部を前記第２の部材に設け、前記弾性片の前記開放部側への変形を防止する変形防止部を前記囲い部に形成したものである。
【０００６】
また、前記囲い部の断面形状が３つの辺を備え、前記開放部の長さが前記開放部と対向する第１の辺の長さより短く、かつ、前記弾性片の幅より短くし、前記開放部の両端と前記第１の辺の両端とを結ぶ２つの第２の辺からなる変形防止部を設け、前記弾性片が少なくとも前記２つの第２の辺の１つに当接することで、前記弾性片が前記開放部側への変形を防止するものである。
【０００７】
また、前記２つの第２の辺の長さが互いに等しいものである。
【０００８】
また、前記係合部を前記変形防止部が変形を防止する方向に対して垂直方向で、かつ、前記係合部と前記係止部との係止がはずれない方向に突出させて設けたものである。
【発明の効果】
【０００９】
以上、本発明によれば、初期の目的を達成することができ、突出寸法を小さくすることが可能な固定構造を提供することができる。
【発明を実施するための最良の形態】
【００１０】
本発明の固定構造は、係合部である爪部１７を備えた弾性片１５を有する第１の部材である見返し板１２と、爪部１７が係止する係止部１４を有する第２の部材であるケース１１とを備え、爪部１７を係止部１４に係止して見返し板１２とケース１１とを固定する固定構造において、開放部１３ｃを備えるとともに弾性片１５の周囲を囲む囲い部１３をケース１１に設け、弾性片１５の開放部１３ｃ側への変形を防止する変形防止部１３ａを囲い部１３に形成したものである。このように構成したことによって、突出寸法を小さくすることが可能な固定構造を提供することができる。
【００１１】
また、囲い部１３の断面形状が３つの辺を備え、開放部１３ｃの長さが開放部１３ｃと対向する第１の辺である底面１３ｂの長さより短く、かつ、弾性片２５の幅より短くし、開放部１３の両端と底面１３ｂの両端とを結ぶ２つの第２の辺である側面からなる変形防止部１３ａを設け、弾性片１５が少なくとも２つの側面１３ａの１つに当接することで、弾性片１５が開放部１３側への変形を防止するものである。このように構成したことによって、突出寸法を小さくすることが可能な固定構造を提供することができる。
【００１２】
また、２つの側面１３ａの長さが互いに等しいものである。このように構成したことによって、突出寸法を小さくすることが可能な固定構造を提供することができる。
【００１３】
また、爪部１７を変形防止部１３ａが変形を防止する方向に対して垂直方向で、かつ、爪部１７と係止部１４との係止がはずれない方向に突出させて設けたものである。このように構成したことによって、突出寸法を小さくすることが可能な固定構造を提供することができる。
【実施例１】
【００１４】
以下、添付図面に基づいて、本発明の第１実施例を説明する。
【００１５】
本実施例の固定構造を、従来例と同様にケース１１と見返し板１２とを固定する場合を例にあげて説明する。ケース１１と見返し板１２との固定は、見返し板１２に係合部１７を備えた弾性片１５を設け、ケース１１に係止部１４を設けて、係合部１７を係止部１４に係止するものである。
【００１６】
ケース１１は合成樹脂で形成されている。ケース１１は４つの側面１１ａと底面１１ｂとを備えた形状である。このケース１１の側面１１ａの開口１１ｃに近い部分の肉厚が他の部分より厚く形成されており、この肉厚部分の一部に窪んだ囲い部１３が形成されている。この囲い部１３は複数設けられている。この囲い部１３は弾性片１５の周囲を囲むように形成されている。囲い部１３は第１の辺である底面１３ｂと２つの第２の辺である側面１３ａとからなる３つの面を備えており、側面１３ａ間には開放部１３ｃを備えている。
【００１７】
この囲い部１３の断面形状は、２つの側面１３ａと１つ底面１３ｂとからなる３つの辺を備え、開放部１３ｃの長さＬ１（側面１３ａの上端間の距離）が、開放部１３ｃと対向する底面１３ｂの長さＬ２より短く、かつ、弾性片２５の幅Ｌ３より短く形成してあり、２つの側面１３ａは、囲い部１３の内側に傾斜している。そして、弾性片１５が開放部１３ｃ側への変形すると、弾性片１５が側面１３ａに当接して、それ以上の変形を防止するものであり、側面１３ａが変形防止部１３ａを形成している。
【００１８】
また、本実施例では、囲い部１３の断面形状が、開放部１３ｃの両端と底面１３ｂの両端とを結ぶ２つの側面１３ａの長さが互いに等しい台形形状となっている。
【００１９】
見返し板１２も合成樹脂で形成されており、ケース１１を覆うような形状である。この見返し板１２の周囲には、複数の弾性片１５が設けられている。この弾性片１５は平板状で弾性を有しており、その先端からその付け根の近くまでに届く切り欠き部１５ａを備えている。この切り欠き部１５ａによって二つに分割された弾性片１５の先端には、テーパ面１６を有し、このテーパ面１６の最終端には係合部である爪部１７が形成されている。この爪部１７が突出している方向は、変形防止部１３ａが変形を防止する方向に対して垂直方向で、かつ、爪部１７と係止部１４との係止がはずれない方向に突出させて設けてある。
【００２０】
このように構成したことによって、従来の固定構造に比べて突出寸法が小さく、その分、他の部品を近接配置することが可能な固定構造を提供することができる。
【００２１】
なお、第１実施例の変形例として、図５で示すものがある。本変形例の弾性片１８は、第１実施例の弾性片１５に形成した切り欠き部１５ａはなく、テーパ面１９は、ケース１１の側面１１ａに面している。また、テーパ面１９の最終端には係合部である爪部２０が形成されている。この爪部２０が突出している方向は、弾性片１８のケース１１の側面１１ａに対して垂直方向、すなわち、弾性片１８が弾性変形する方向に対して平行方向であり、かつ、ケース１１から見返し板１２がはずれないように、見返し板１２がケース１１から抜ける方向に対して垂直方向に延びている。
【００２２】
また、本変形例のケース１１は、囲い部１３を設けた部分をケース１１の側面１１ａからケース１１外側に突出させた段差部２１を設けた。この段差部２１は、ケース１１方向に突出した爪部２０が係止する係止部である。
【００２３】
このように構成したことによっても、従来の固定構造に比べて突出寸法が小さく、その分、他の部品を近接配置することが可能な固定構造を提供することができる。
【実施例２】
【００２４】
次に、本発明の第２実施例を図６を用いて説明する。なお、前記第１実施例やその変形例と同一及び相当個所には同一符号を付して、その詳細な説明は省略する。
【００２５】
前記第１実施例やその変形例では、弾性片１５に爪部１７、２０を備え、ケース１１に爪部１７、２０が係止する係止部１４、２１を設けていたが、本第２実施例では、見返し板１２の弾性片２２に形成した孔２３が係合部であり、ケース１１の側面１１ａに形成した爪部２４が係止部である。弾性片２２の孔２３をケース１１の爪部２４に係止するとケース１１と見返し板１２とを固定することができる。このように形成したことにより、前記第１実施例や変形例と同一の作用効果を得ることができる。
【００２６】
このように構成したことによっても、従来の固定構造に比べて突出寸法が小さく、その分、他の部品を近接配置することが可能な固定構造を提供することができる。
【００２７】
なお、前記各実施例では、第１の部材が見返し板１２で、第２の部材がケース１１であったが、前記各実施例に限定されるものではなく、本発明は、任意の部材の固定構造に適用することができる。
【図面の簡単な説明】
【００２８】
【図１】本発明の第１実施例の組み付け前の斜視図。
【図２】同実施例の組み付け後の斜視図。
【図３】同実施例の組み付け後の側面図。
【図４】図３中Ａ−Ａ線の断面図。
【図５】同実施例の変形例の組み付け前の斜視図。
【図６】本発明の第２実施例の組み付け前の斜視図。
【図７】従来例の組み付け前の斜視図。
【符号の説明】
【００２９】
１１      ケース（第２の部材）
１１ａ    側面
１１ｂ    底面
１１ｃ    開口
１２      見返し板（第１の部材）
１３      囲い部
１３ａ    側面（変形防止部）
１３ｂ    底面
１３ｃ    開放部
１４      係止部
１５      弾性片
１５ａ    切り欠き部
１６      テーパ面
１７      爪部（係合部）
１８      弾性片
１９      テーパ面
２０      爪部（係合部）
２１      段差部（係止部）
２２      弾性片
２３      孔（係合部）
２４      爪部（係止部）
【図１】
2006125528.tif 000003
【図２】
2006125528.tif 000004
【図３】
2006125528.tif 000005
【図４】
2006125528.tif 000006
【図５】
2006125528.tif 000007
【図６】
2006125528.tif 000008
【図７】
2006125528.tif 000009